(57)【要約】【課題】従来、情報処理装置のデータを表示する表示装置をネットワーク接続された複数の表示装置の中から選択する場合、その選択が非常に分かりにくく、希望しない表示装置に表示がなされる恐れがあるという問題があった。【解決手段】ネットワーク接続され、表示データを送信するパーソナルコンピュータ（ＰＣ）１及びＰＣ１からの送信データを受信して画像表示を行なうプロジェクタ２乃至４を有し、ＰＣ１は、表示を行ないたいプロジェクタを選択し、選択したプロジェクタを特定する情報にデータ送信開始予告にかかるデータを付加して送信し、プロジェクタ２乃至４の各々は、ＰＣ１から送信されたデータを受信し、受信したデータから選択されたプロジェクタが自身の装置であると検出した場合、表示用データの送信が開始されることを通知する。【選択図】　図１
2004062477.tif 000002
【特許請求の範囲】
【請求項１】
ネットワークに接続され表示すべきデータを送信する情報処理装置と、同じくネットワークに接続され前記情報処理装置から送信された表示すべきデータを受信して画像表示を行なう１以上のデータ表示装置とを有したデータ表示システムであって、前記情報処理装置は、前記データ表示装置の中から表示を行ないたいデータ表示装置を選択する選択手段及びこの選択手段にて選択されたデータ表示装置を特定する情報にデータ送信開始予告を示すデータを付加して送信する送信手段を具備し、前記データ表示装置は、前記送信手段から送信されたデータを受信する受信手段及び受信したデータから前記データ表示装置を特定する情報が自身のデータ表示装置にかかるものであることを検出した場合に、表示用データの送信が前記情報処理装置からなされることを通知する通知手段を具備したことを特徴とするデータ表示システム。
【請求項２】
請求項１記載のデータ表示システムにおいて、前記選択手段は、前記データ表示装置からそのアドレス情報を取得する手段と、このアドレス情報を表示する手段と、表示されたアドレス情報から所望のものを選択する手段とを具備したことを特徴とするデータ表示システム。
【請求項３】
ネットワークに接続され表示すべきデータを送信する情報処理装置と、同じくネットワークに接続され前記情報処理装置から送信された表示すべきデータを受信して画像表示を行なう１以上のデータ表示装置とを有したデータ表示システムであって、前記データ表示装置は、データ表示装置にかかるパスワードを設定する手段及びこの設定手段で設定されたパスワードを記憶する記憶手段を具備し、前記情報処理装置は、ネットワークを介して前記記憶手段からパスワードを取得する手段及び表示用データの送信を行ないたいデータ表示装置に対しそのパスワードを表示用データに付加して送信する手段を具備し、さらに前記データ表示装置は、前記情報処理装置から送信された表示用データからパスワードを抽出し、これを前記記憶手段に記憶されているパスワードと比較し、一致した場合にのみ表示用データを画像表示する表示制御手段を具備したことを特徴とするデータ表示システム。
【請求項４】
ネットワークに複数接続可能で、ネットワークに接続された情報処理装置から送信される表示用データを受信して画像表示を行なうデータ表示装置であって、ネットワークに接続された場合に、前記情報処理装置からの送信データを受信する手段と、この受信手段で受信したデータから前記送信データに含まれるデータ表示装置を特定する情報が自身のデータ表示装置にかかるものであることを検出した場合に、表示用データの送信が前記情報処理装置からなされることを通知する通知手段とを具備したことを特徴とするデータ表示装置。
【請求項５】
請求項４記載のデータ表示装置において、前記通知手段はデータ表示装置による表示画面上に所定の表示を行なうものであることを特徴とするデータ表示システム。
【請求項６】
ネットワークに複数接続可能で、ネットワークに接続された情報処理装置から送信される表示用データを受信して画像表示を行なうデータ表示装置であって、このデータ表示装置にかかるパスワードを設定する手段と、この設定されたパスワードを記憶する記憶手段と、前記情報処理装置から送信されるデータに含まれるパスワードを抽出し、これを前記記憶手段に記憶されているパスワードと比較し、一致した場合にのみ前記情報処理装置から送信される表示用データを画像表示する表示制御手段とを具備したことを特徴とするデータ表示装置。
【請求項７】
請求項６記載のデータ表示装置において、前記記憶手段には前記情報処理装置が表示用データをデータ表示装置に送信するためのソフトウェアが記憶されていることを特徴とするデータ表示装置。
【請求項８】
情報処理装置からネットワークを介して表示用データを受信し画像表示するデータ表示装置におけるデータ表示方法であって、前記情報処理装置から送信されるデータ表示装置を特定する情報にデータ送信開始予告を示すデータが付加されたデータを受信する工程と、受信したデータから前記データ表示装置を特定する情報が自身のデータ表示装置にかかるものであることを検出した場合に、前記情報処理装置から表示用データの送信がなされることを通知する工程とを具備したことを特徴とするデータ表示装置におけるデータ表示方法。
【請求項９】
情報処理装置からネットワークを介して表示用データを受信し画像表示するデータ表示装置におけるデータ表示方法であって、データ表示装置に対して設定されるパスワードを記憶手段に記憶する工程と、表示用データにパスワードが付加されたデータを前記情報処理装置から受信する工程と、前記受信工程にて受信したデータからパスワードを抽出し、これを前記記憶手段に記憶されているパスワードと比較する工程と、この比較工程でパスワードの一致を検出した場合にのみ前記情報処理装置から送信される表示用データを画像表示する工程とを具備したことを特徴とするデータ表示装置におけるデータ表示方法。
【発明の詳細な説明】
【０００１】
【発明の属する技術分野】本発明は、パーソナルコンピュータ等の情報処理装置と液晶プロジェクタ等の表示装置とをネットワーク接続し、両者間でデータ送信を行なうデータ表示システム、データ表示装置およびデータ表示方法に関する。
【０００２】
【従来の技術】パーソナルコンピュータ等の情報処理装置に保存されたデータを液晶プロジェクタ等の投射型表示装置を用いて画像表示することが広く行なわれている。そしてこの場合、情報処理装置と複数の表示装置とをネットワークで結ぶことが考えられている。また情報処理装置と表示装置間の信号授受には一般的にケーブルが用いられているが、配線が面倒なこと等もあり、ケーブルの代わりに無線を用いることも考えられている（例えば、特開２０００−２２２１６３号公報参照）。
【０００３】
ところで、複数の表示装置がネットワークで結ばれている場合に、１台の情報処理装置からのデータを特定の選択された表示装置に表示させるには、上記表示装置を何らかの方法により識別する必要がある。ネットワーク上にある装置を区別する一般的な方法としては、ＴＣＰ／ＩＰプロトコルで使用されるＩＰアドレスや、ネットワーク機器に割り当てられる固有のアドレス（ＭＡＣアドレス）による機器識別が挙げられる。これらのネットワーク機器を識別するアドレスには一般的に１６進数の羅列が用いられる。ネットワーク上にある機器は全てこれらの固有の番号を使って識別するため、ユーザはこの番号を確認してデータの送り先を判断しなくてはならない。
【０００４】
ネットワーク上にある各機器を区別するために使用されるアドレスは、上記例の場合では４バイト〜６バイトの１６進数で、ユーザにとっては設定が難解であり視覚的に判別するにも困難である。そのため、ユーザによっては、データの送り先を間違う可能性がある。上記間違いを防ぐために、一般にユーザにとって分かり易い名称をこれらのネットワーク情報に付加することが考えられるが、プロジェクタにおいてはパーソナルコンピュータのようにキーボードやマウスといった入力装置が使えないケースが殆どで、こうした情報の入力は容易ではない。
【０００５】
一方、ネットワーク接続に対応した投射型プロジェクタには、マイクロコンピュータを内蔵し表示する画像データを表示装置内に蓄積してから表示するものと、ネットワーク機能を備えて外部から受信した画像データをそのまま表示させるものとがある。後者の表示装置の場合、受信した画像データをそのまま表示するために、ユーザが誤って別の表示装置に情報処理装置からデータを送信してしまうと非常に問題となる。特に無線を利用したネットワークでは、実際にどの機器が接続状態にあるかどうかが分かりにくく、ユーザが意図していないプロジェクタに対してデータを送信してしまうような事態に陥りやすい。
【０００６】
例えば、会議室が複数連なっており、各会議室にてプロジェクタが使用されている場合を考えると、無線の場合は室内だけではなく室外にも電波が届くため、ある会議室で使用されているパーソナルコンピュータのデータは、その会議室内のプロジェクタに表示を行ないたいにも拘わらず、別の会議室で使用されているプロジェクタに表示がなされてしまうといったことが起こりうる。
【０００７】
このような誤送信は、上述したように、ネットワーク上にある機器同士を区別するために使われるネットワークカードの設定や情報が、一般のユーザには理解しにくく区別しにくい数値であることもその要因のひとつである。
【０００８】
【発明が解決しようとする課題】上述したように、従来、情報処理装置のデータを表示させる表示装置をネットワーク接続された複数の表示装置の中から選択する場合、その選択が非常に分かりにくく、希望しない表示装置に表示がなされる恐れがあるという問題があった。本発明はこのような問題点を解決するためになされたもので、誤って意図しない表示装置に表示を行なってしまうといった問題が生じにくいデータ表示システム、データ表示装置およびデータ表示方法を提供することを目的とする。
【０００９】
【課題を解決するための手段】請求項１にかかるデータ表示システムは、ネットワークに接続され表示すべきデータを送信する情報処理装置と、同じくネットワークに接続され前記情報処理装置から送信された表示すべきデータを受信して画像表示を行なう１以上のデータ表示装置とを有したデータ表示システムであって、前記情報処理装置は、前記データ表示装置の中から表示を行ないたいデータ表示装置を選択する選択手段及びこの選択手段にて選択されたデータ表示装置を特定する情報にデータ送信開始予告を示すデータを付加して送信する送信手段を具備し、前記データ表示装置は、前記送信手段から送信されたデータを受信する受信手段及び受信したデータから前記データ表示装置を特定する情報が自身のデータ表示装置にかかるものであることを検出した場合に、表示用データの送信が前記情報処理装置からなされることを通知する通知手段を具備したことを特徴とするものである。
【００１０】
請求項２にかかるデータ表示システムは、請求項１記載のデータ表示システムにおいて、前記選択手段は、前記データ表示装置からそのアドレス情報を取得する手段と、このアドレス情報を表示する手段と、表示されたアドレス情報から所望のものを選択する手段とを具備したことを特徴とするものである。
【００１１】
請求項３にかかるデータ表示システムは、ネットワークに接続され表示すべきデータを送信する情報処理装置と、同じくネットワークに接続され前記情報処理装置から送信された表示すべきデータを受信して画像表示を行なう１以上のデータ表示装置とを有したデータ表示システムであって、前記データ表示装置は、データ表示装置にかかるパスワードを設定する手段及びこの設定手段で設定されたパスワードを記憶する記憶手段を具備し、前記情報処理装置は、ネットワークを介して前記記憶手段からパスワードを取得する手段及び表示用データの送信を行ないたいデータ表示装置に対しそのパスワードを表示用データに付加して送信する手段を具備し、さらに前記データ表示装置は、前記情報処理装置から送信された表示用データからパスワードを抽出し、これを前記記憶手段に記憶されているパスワードと比較し、一致した場合にのみ表示用データを画像表示する表示制御手段を具備したことを特徴とするものである。
【００１２】
請求項４にかかるデータ表示装置は、ネットワークに複数接続可能で、ネットワークに接続された情報処理装置から送信される表示用データを受信して画像表示を行なうデータ表示装置であって、ネットワークに接続された場合に、前記情報処理装置からの送信データを受信する手段と、この受信手段で受信したデータから前記送信データに含まれるデータ表示装置を特定する情報が自身のデータ表示装置にかかるものであることを検出した場合に、表示用データの送信が前記情報処理装置からなされることを通知する通知手段とを具備したことを特徴とするものである。
【００１３】
請求項５にかかるデータ表示システムは、請求項４記載のデータ表示装置において、前記通知手段はデータ表示装置による表示画面上に所定の表示を行なうものであることを特徴とするものである。
【００１４】
請求項６にかかるデータ表示装置は、ネットワークに複数接続可能で、ネットワークに接続された情報処理装置から送信される表示用データを受信して画像表示を行なうデータ表示装置であって、このデータ表示装置にかかるパスワードを設定する手段と、この設定されたパスワードを記憶する記憶手段と、前記情報処理装置から送信されるデータからパスワードを抽出し、これを前記記憶手段に記憶されているパスワードと比較し、一致した場合にのみ前記情報処理装置から送信される表示用データを画像表示する表示制御手段とを具備したことを特徴とするものである。
【００１５】
請求項７にかかるデータ表示装置は、請求項６記載のデータ表示装置において、前記記憶手段には前記情報処理装置が表示用データをデータ表示装置に送信するためのソフトウェアが記憶されていることを特徴とするものである。
【００１６】
請求項８にかかるデータ表示装置におけるデータ表示方法は、情報処理装置からネットワークを介して表示用データを受信し画像表示するデータ表示装置におけるデータ表示方法であって、前記情報処理装置から送信されるデータ表示装置を特定する情報にデータ送信開始予告を示すデータが付加されたデータを受信する工程と、受信したデータから前記データ表示装置を特定する情報が自身のデータ表示装置にかかるものであることを検出した場合に、前記情報処理装置から表示用データの送信がなされることを通知する工程とを具備したことを特徴とするものである。
【００１７】
請求項９にかかるデータ表示装置におけるデータ表示方法は、情報処理装置からネットワークを介して表示用データを受信し画像表示するデータ表示装置におけるデータ表示方法であって、データ表示装置に対して設定されるパスワードを記憶手段に記憶する工程と、表示用データにパスワードが付加されたデータを前記情報処理装置から受信する工程と、前記受信工程にて受信したデータからパスワードを抽出し、これを前記記憶手段に記憶されているパスワードと比較する工程と、この比較工程でパスワードの一致を検出した場合にのみ前記情報処理装置から送信される表示用データを画像表示する工程とを具備したことを特徴とするものである。
【００１８】
【発明の実施の形態】以下、本発明になるデータ表示システム、データ表示装置およびデータ表示方法の実施の形態につき、図面を用いて説明する。
【００１９】
図１は、本発明になるデータ表示システムの実施の形態の一例を示すシステム構成図であり、１は情報処理装置であるパーソナルコンピュータ（以下、ＰＣという）、２乃至４はデータ表示装置である液晶プロジェクタ（以下、単にプロジェクタという）、５乃至７はそれぞれプロジェクタ２乃至４の画像データ表示用のスクリーンである。なお、ＰＣ１及びプロジェクタ２乃至４は、それぞれ無線通信用モジュールを有しており、無線によってネットワーク接続されている。
【００２０】
また、図２は図１のＰＣ１の概略回路の一例を示すブロック図である。ここで、１１はＰＣ１に内蔵された無線通信用モジュール、１２はこのモジュール１１に接続されたインタフェース、１３はバッファメモリ、１４はランダムアクセスメモリ（以下、ＲＡＭという）、１５は読み出し専用メモリ（以下、ＲＯＭという）である。１６はバッファメモリ１３、ＲＡＭ１４及びＲＯＭ１５に接続されたマイクロコンピュータ（以下、ＣＰＵという）であり、１７はＣＰＵ１６の制御のもと、画像表示のための各種信号処理を行なう表示処理回路である。１８は、表示処理回路１７の出力を表示するディスプレイである。
【００２１】
さらに、図３は図１のプロジェクタ２乃至４の回路の一例を示すブロック図である。ここで、２１は無線通信用モジュール（例えば無線ＬＡＮ　ＰＣカード等）、２２はこのカードに接続されたインタフェース、２３はインタフェース２２に接続されたバッファメモリ、２４は主メモリ、２５は主メモリ２４に接続された制御回路である。バッファメモリ２３は無線通信用モジュール２１で受信したＰＣ１からの送信ファイルを一時的に蓄えるものであり、主メモリ２４は装置固有のデータ等を記憶している。２６は制御回路２５の制御のもと、画像表示のための各種信号処理を行なう表示処理回路であり、詳細を後述するＰＣ１からの送信ファイル中の通信コマンド等は、この回路２６から制御回路２５に与えられる。
【００２２】
また、２７は制御回路２５の制御のもと、詳細を後述するアイコン表示のための文字発生回路である。２８は、表示処理回路２６の出力と文字発生回路２７の出力とを合成して表示手段２９に出力する合成回路である。表示手段２９は、液晶パネル及び投射用レンズ、光源等を有し、合成回路２８の出力データを液晶パネルに表示するとともに、光源とレンズによってスクリーン５または６、あるいは７に投射表示する。一方、３０は制御回路２５の制御のもと、詳細を後述するブザー３１を鳴らすための音声発生回路である。
【００２３】
次に、図１のシステム、並びに図２乃至図３のＰＣ１、プロジェクタ２乃至４の動作につき図４乃至図７も用いて説明する。なお、ＰＣ１とプロジェクタ２乃至４とはネットワーク上にあり、かつ無線設定があらかじめ合致して無線レベルでの接続が確立しているものとする（プロジェクタ２及び３について）。
【００２４】
まず、図４に示すようにＰＣ１は無線での通信相手を検索するために検索コマンドを送信する（同図のステップＳ１）。そして、通信相手を発見したかをチェックする（ステップＳ２）。通信相手が存在する場合には（ステップＳ２で「ＹＥＳ」の場合）、通信可能なプロジェクタのＭＡＣアドレスを取得する（ステップＳ３）。通信相手が存在しない場合には、このステップＳ３を飛ばしてステップＳ４に移行する。
【００２５】
次にステップＳ４では、通信可能なプロジェクタのリストをＰＣ１のディスプレイ上に表示する。この表示例としては、例えば図５に示す如き画面４１が考えられる。すなわち、図５は、ＰＣ１における専用アプリケーションでの画像データ送信設定にかかる画面表示の一例を示すもので、画面４１におけるプロジェクタの表示欄４２には、通信可能なプロジェクタのリストがＭＡＣアドレス４３、４４で表示される。この場合、２台のプロジェクタ（例えばプロジェクタ２及び３）が通信可能であることを示している。
【００２６】
ユーザがデータ送信を希望する（データ表示を希望する）プロジェクタを上記画面４１のデータ送信希望プロジェクタのＭＡＣアドレスのチェックボックス欄４５あるいは４６をチェックすると（図示せぬマウス等でチェック）（ステップＳ５）、ＰＣ１は通信相手が選択されたかを確認しているため（ステップＳ６）、選択されたプロジェクタへデータ送信開始予告を送信する（ステップＳ７）。すなわち、上記専用アプリケーションソフトの画面４１の接続先リストから特定のプロジェクタをユーザが選択すると、ＰＣ１はＭＡＣアドレスとアプリケーション情報を付加したパッケットに、データ送信開始予告を示すデータを付加して選択されたプロジェクタへ送信する。
【００２７】
なお、ユーザがチェックボックス欄４５あるいは４６にチェックを入れない限り、ステップＳ６で「ＮＯ」となり、ステップＳ６での確認が繰り返されることになる。
【００２８】
一方、プロジェクタ２乃至３では、図６のフローチャートに示す如き動作がなされる。すなわち、ＰＣ１からの通信コマンドの送信を待ち（同図のステップＳ１１）、通信コマンドを受信したかを確認する（ステップＳ１２）。ここで、受信があれば（ステップＳ１２で「ＹＥＳ」）、それがデータ送信開始予告コマンドであるかを判断する（ステップＳ１３）。この予告コマンドであるならば（ステップＳ１３で「ＹＥＳ」）、この予告コマンドを受信したプロジェクタが表示装置としてユーザから選択されたわけであり、この表示装置に対してデータ送信が間もなく開始されることを画像表示する（ステップＳ１４）。この画像表示は、送信がなされることがその表示から理解されるような、例えば図７に示すようなアイコン５１をスクリーン５上（プロジェクタ２が表示装置として選択された場合）に表示することで実行される。この動作は図３に示す制御回路２５が文字発生回路２７を制御して上記アイコン５１を発生させ、この文字（本明細書では、アイコン等を含めて文字と称す）信号を合成回路２８を介して表示手段２９に供給することでなされる。
【００２９】
送信がなされることを表示する方法としては、上記オンスクリーンディスプレイ表示（以下、ＯＳＤ表示という）以外にも画面ブリンク、ＬＥＤ点灯などの方法があり、これらをＯＳＤ表示と併用したり、もしくは単独で採用することも考えられる。また、本実施の形態では、表示だけでなく音声発生回路を用いてブザーを鳴らすことも行ない、表示の見逃し等があってもデータ送信開始予告をユーザが認識出来るようにしている。すなわち、制御回路２５からの制御により文字発生回路２７が制御されるだけではなく、音声発生回路３０も制御されてブザー３１が鳴らされることになる。
【００３０】
図６のステップＳ１２で受信無し（ステップＳ１２で「ＮＯ」）か、もしくはステップＳ１３で通信コマンドがデータ送信開始予告コマンドでない場合（ステップＳ１３で「ＮＯ」）は、ステップＳ１２に戻る。
【００３１】
ユーザは上記アイコン表示が表示すべきスクリーン（例えばスクリーン５（図１参照））に表示されたのを確認後、図５に示す画面４１の送信開始釦４７をクリックすることで、本来の送信すべき表示用データの送信を行うことになる。なお、４８は送信開始後に送信を中断する場合の操作用釦である。
【００３２】
ここで専用アプリケーションソフトの画面４１について図５に基づきさらに説明を行っておくと、４９は通信モードの選択項目を示しており、送信開始釦４７をクリックしたときから連続して画面イメージを送信し続けるか（「自動更新」４９ａをチェック（選択）した場合）、送信開始釦４７をクリックしたときの画面イメージを１回だけ送信するか（「手動更新」４９ｂをチェック（選択）した場合）のいずれかを選択するものである。５０はプロジェクタで表示したい画面イメージの選択項目であり、ＰＣ１にて起動中のアプリケーションソフトの中から希望するものを選択する。これにより、選択したアプリケーションソフトの画面イメージのみを送信することになる。
【００３３】
以上述べた本実施の形態によれば、ＰＣ１上にリスト化されたプロジェクタの中から送信相手となるプロジェクタを選択した時点でデータ送信開始予告を示すパケットを送信することで、送信相手のプロジェクタがこれに応答し、ＯＳＤを表示したり音声を発したりする。これにより、ユーザは容易にＰＣ１のデータ送信相手であるプロジェクタを判断できる（送信相手を選択した時点で、表示しようとしているプロジェクタにアイコン表示が出ない場合は、接続先が間違っている可能性が有る）。このため、誤送信を減らすことができる。特に無線の場合は上述したように室内だけではなく室外にも電波が届くため、ユーザがデータを送信する前に認識できるのは効果的である。
【００３４】
次に本発明の他の実施の態様について、図８乃至図１０を用いて説明する。図８は、図１に示される如き無線システムにおけるプロジェクタの他の実施態様を示すもので、図３に示した実施態様との大きな相違点は、本実施態様におけるプロジェクタ（説明の便宜上、６１とする）がＨＴＭＬサーバ機能を搭載し、ＰＣ（説明の便宜上、７１とする）上の画像情報をプロジェクタ６１に転送するためのソフトウェアとプロジェクタを識別するためのパスワードとを保有する点にある。
【００３５】
具体的には、図３に示された文字発生及び音声発生に関係する回路等が省かれたことと、主メモリ６２と制御回路６３の変更、及びパスワード設定手段６４の追加である。無線通信用モジュール２１、インタフェース２２、バッファメモリ２３、表示処理回路２６及び表示手段２９は、図３に示されたものと変わるところは無い。主メモリ６２には、ＰＣの画像情報をプロジェクタ６１に転送するためのソフトウェア及びプロジェクタ６１を識別するためのパスワードが記憶されている。このパスワードは、パスワード設定手段６４からユーザが設定し、記憶させるものである。
【００３６】
なお、ＰＣ７１については、ブロック図で示す回路構成としては先の図２と同様ゆえ、その説明は省略する。詳細は後述するが、ＰＣ７１からは汎用的なブラウザで上記プロジェクタ６１にアクセスし、上記ソフトウェアのインストールデータとパスワードデータを取得することになる。
【００３７】
次に本実施態様におけるＰＣ７１及びプロジェクタ６１の動作について図９及び図１０のフローチャートも参照して説明する。なお、ＰＣ７１とプロジェクタ６１はネットワーク上にあり、かつ無線設定があらかじめ合致して無線レベルでの接続が確立しているものとする。
【００３８】
ＰＣ７１は、プロジェクタ６１にアクセスして、プロジェクタ６１の主メモリ６２に記憶されている画像転送用のソフトウェアとユーザが設定したパスワードを入手する（図９のステップＳ２１）。次に、ＰＣ７１上のディスプレイ画面に表示される先の図５に示す如き画面から、ユーザが画像送信の開始ボタンを押すことで画像データの送信指示がなされたか否かを判断する（ステップＳ２２）。送信指示があれば（ステップＳ２２で「ＹＥＳ」）、ＰＣ７１はプロジェクタ６１に対して、送信する表示データにかかるパケットにパスワードデータを付加して送信する（ステップＳ２３）。送信指示が無い場合は（ステップＳ２２で「ＮＯ」）、再びステップＳ２２に戻り、画像データの送信指示の有無を判断する。
【００３９】
一方、プロジェクタ６１側ではＰＣ７１から送信されたパケット情報からパスワードを抽出し（図１０のステップＳ３１）、プロジェクタ６１の主メモリ６２に記憶されている値との一致を確認する（同図のステップＳ３２）。比較されたデータが一致した場合（ステップＳ３２で「ＹＥＳ」）にのみ画像データを受信し、画像データを表示する（同図ステップＳ３３）。比較されたデータが一致していない場合（ステップＳ３２で「ＮＯ」）は、ステップＳ３１に戻る。
【００４０】
以上述べた実施態様によれば、転送相手となるプロジェクタが決まっている場合、プロジェクタとＰＣとの間であらかじめパスワードを交換することで送信相手を限定することができ、同一機種が無線の届く範囲に複数存在したとしても誤って画像データを送信することはなくなる。なお、ＰＣがプロジェクタからソフトウェアと一緒にパスワードを取得することは、ユーザからみてプロジェクタに設定されたパスワードを意識せずに使うことが出来るという利点があるが、パスワードのみをプロジェクタから単独で取得し、ソフトウェアは記録媒体からＰＣが取り込むようにしても良い。
【００４１】
【発明の効果】以上述べたように本発明によれば、誤って意図しない表示装置に表示を行なってしまうといった問題が生じにくいデータ表示システム、データ表示装置およびデータ表示方法を提供することが出来、有用である。
【図面の簡単な説明】
【図１】本発明になるデータ表示システムの実施の形態の一例を示すシステム構成図。
【図２】図１のパーソナルコンピュータの回路ブロック図。
【図３】図１の液晶プロジェクタの回路ブロック図。
【図４】図１のパーソナルコンピュータにおける画像データ送信動作を説明するためのフローチャート。
【図５】図１のパーソナルコンピュータにおける画像データ送信設定にかかる画面表示の一例を示す図。
【図６】図１の液晶プロジェクタにおける画像データ受信関連動作を説明するためのフローチャート。
【図７】図１の液晶プロジェクタにおける画像データ送信開始予告時の画面表示の一例を示す図。
【図８】本発明になるデータ表示装置の他の実施の形態の一例を示すブロック図。
【図９】パーソナルコンピュータにおける図８の液晶プロジェクタに対するパスワード送信動作を説明するためのフローチャート。
【図１０】図８の液晶プロジェクタにおけるパスワード確認動作を説明するためのフローチャート。
【符号の説明】
１：　パーソナルコンピュータ
２乃至４：　液晶プロジェクタ
５乃至７：　スクリーン
１１：　無線通信用モジュール
１６：　マイクロコンピュータ
２１：　無線通信用モジュール
２５：　制御回路
２６：　表示処理回路
２７：　文字発生回路
２８：　合成回路
２９：　表示手段
【図１】
2004062477.tif 000003
【図２】
2004062477.tif 000004
【図３】
2004062477.tif 000005
【図４】
2004062477.tif 000006
【図５】
2004062477.tif 000007
【図６】
2004062477.tif 000008
【図７】
2004062477.tif 000009
【図８】
2004062477.tif 000010
【図９】
2004062477.tif 000011
【図１０】
2004062477.tif 000012